(57)【要約】【課題】制菌及び炎症防止を確実に行い、空気洗浄マスク構造内部の気体循環を向上させる空気清浄マスク構造を提供する。【解決手段】空気清浄マスク構造は、本体１０、ファン２０、フィルタ３０、外蓋４０、導流板５０、超音波振動装置６０、マスク体７０及び掛帯８０を備える。本体１０は、中央部に形成された開孔１１と、両側の適宜な箇所に形成された排気口１２とを有する。ファン２０は、本体１０内に取り付けられる。フィルタ３０は、本体１０の開孔１１に覆設される。外蓋４０は、本体１０の前端に配設される。導流板５０は、本体１０内に係合されるとともに、複数の第１の導流孔５１が上半部に設けられ、複数の第２の導流孔５２が下半部に設けられる。超音波振動装置６０は、導流板５０上に取り付けられ、容器６１、回路基板６２及びノズル６３を有する。マスク体７０は、本体１０の後端に配設される。【選択図】図２
0003233550.tif 000002
【実用新案登録請求の範囲】
【請求項１】
本体、ファン、フィルタ、外蓋、導流板、超音波振動装置、マスク体及び掛帯を備えた空気清浄マスク構造であって、
前記本体は、中央部に形成された開孔と、両側の適宜な箇所に形成された排気口とを有し、
前記ファンは、前記本体内に取り付けられ、
前記フィルタは、前記本体の前記開孔に覆設され、
前記外蓋は、前記本体の前端に配設され、
前記導流板は、前記本体内に係合されるとともに、複数の第１の導流孔が上半部に設けられ、複数の第２の導流孔が下半部に設けられ、
前記超音波振動装置は、前記導流板上に取り付けられ、容器、回路基板及びノズルを有し、前記容器の内部には、酵素、精油又は酵素と精油とを混合した溶液が収容され、前記回路基板は、一端が前記ファンと電気的に接続され、他端が充電プラグに接続され、前記ノズルは、前記容器上に取り付けられるとともに、前記回路基板と電気的に接続され、前記ノズルにより前記容器内の液体が霧化されて使用者の鼻及び口に向けてスプレーされ、
前記マスク体は、使用者がマスクを着用する際、使用者の鼻に密着されるように、前記本体の後端に配設され、
前記掛帯は、前記本体上に取り付けられ、マスクを使用者の顔部に容易に装着し得ることを特徴とする、空気清浄マスク構造。
【請求項２】
前記本体の前縁には、少なくとも１つの結合部が設けられ、
前記外蓋の内側には、前記本体の前記結合部と結合される少なくとも１つの結合部が設けられることを特徴とする請求項１に記載の空気清浄マスク構造。
【請求項３】
前記第１の導流孔と水平面とにより夾角が形成され、外部の空気が前記ファンにより前記本体内に案内され、傾斜した前記第１の導流孔を介して空気が使用者の鼻及び口に案内されて吸われることを特徴とする請求項１に記載の空気清浄マスク構造。
【請求項４】
前記第２の導流孔は、水平方向に延び、使用者の鼻及び口から吐き出された気体が、水平方向の前記第２の導流孔を介して前記本体の前記排気口に案内され、マスクの外部に排出されることを特徴とする請求項１に記載の空気清浄マスク構造。
【請求項５】
前記超音波振動装置の前記容器の上端の開口には、カバーが設けられることを特徴とする請求項１に記載の空気清浄マスク構造。
【請求項６】
前記超音波振動装置は霧化器であり、前記容器が水素セラミック構造に形成されることを特徴とする請求項１に記載の空気清浄マスク構造。
【請求項７】
前記掛帯は、２つの耳ひも又はストラップであることを特徴とする請求項１に記載の空気清浄マスク構造。
【考案の詳細な説明】
【技術分野】
【０００１】
本考案は、空気清浄マスク構造に関するものである。
【背景技術】
【０００２】
汚染された空気から身を守るためにはマスクを着用することが一般的であった。しかし従来のマスクは、大きめの浮遊粒子又は有機物を遮ったり吸着させたりすることができたが、マスクは浮遊粒子又は有機物を一定程度吸着するとその効果が低下する上、一般のマスクは、ＰＭ２．５を遮る効果が僅か３０〜８０％しかなく、ＰＭ２．５の細かな浮遊粒子を完全に濾過することはできなかった。また、一般のマスクのほとんどは使い捨てで繰り返して使用することができず、暑苦しくなるという欠点もあった。特に、一般のマスクでは細菌又はウイルスを取り除くことはできなかった。そのため、浮遊粒子及びイエダニを除去することができる従来のマスクが有する機能の他、制菌、炎症防止などの機能も備えたマスク構造が求められていた。
【考案の概要】
【考案が解決しようとする課題】
【０００３】
本考案の主な目的は、汚染された空気から身を守るとともに、制菌、炎症防止、耐酸化性などの機能を有し、内部にファン及び導流板が設けられ、ファンを使用して空気清浄マスク構造の外部の空気を使用者の口及び鼻に案内し、使用者から吐き出された気体を排気口から空気清浄マスク構造の外部まで案内して分流し、制菌及び炎症防止を確実に行い、空気洗浄マスク構造内部の気体循環を向上させる空気清浄マスク構造を提供することにある。
【課題を解決するための手段】
【０００４】
上記課題を解決するために、本考案の第１の形態によれば、本体、ファン、フィルタ、外蓋、導流板、超音波振動装置、マスク体及び掛帯を備えた空気清浄マスク構造であって、前記本体は、中央部に形成された開孔と、両側の適宜な箇所に形成された排気口とを有し、前記ファンは、前記本体内に取り付けられ、前記フィルタは、前記本体の前記開孔に覆設され、前記外蓋は、前記本体の前端に配設され、前記導流板は、前記本体内に係合されるとともに、複数の第１の導流孔が上半部に設けられ、複数の第２の導流孔が下半部に設けられ、前記超音波振動装置は、前記導流板上に取り付けられ、容器、回路基板及びノズルを有し、前記容器の内部には、酵素、精油又は酵素と精油とを混合した溶液が収容され、前記回路基板は、一端が前記ファンと電気的に接続され、他端が充電プラグに接続され、前記ノズルは、前記容器上に取り付けられるとともに、前記回路基板と電気的に接続され、前記ノズルにより前記容器内の液体が霧化されて使用者の鼻及び口に向けてスプレーされ、前記マスク体は、使用者がマスクを着用する際、使用者の鼻に密着されるように、前記本体の後端に配設され、前記掛帯は、前記本体上に取り付けられ、マスクを使用者の顔部に容易に装着し得ることを特徴とする、空気清浄マスク構造を提供する。
【図面の簡単な説明】
【０００５】
【図１】本考案の一実施形態に係る空気清浄マスク構造を示す組立斜視図である。
【図２】本考案の一実施形態に係る空気清浄マスク構造を示す分解斜視図である。
【図３】本考案の一実施形態に係る空気清浄マスク構造の内部構造を示す斜視図である。
【図４】本考案の一実施形態に係る空気清浄マスク構造の導流板を示す断面図である。
【図５】本考案の一実施形態に係る空気清浄マスク構造の導流板を示す底面斜視図である。
【図６】本考案の一実施形態に係る空気清浄マスク構造の使用状態の説明図である。
【考案を実施するための形態】
【０００６】
図１、図２及び図６を参照する。図１、図２及び図６に示すように、本考案の一実施形態に係る空気清浄マスク構造は、少なくとも本体１０、ファン２０、フィルタ３０、外蓋４０、導流板５０、超音波振動装置６０、マスク体７０及び掛帯８０から構成されてなる。本体１０は、外観が円環状を呈し、シリコーンゴム、弾性布などの材料からなり、その中央部に形成された開孔１１と、両側の適宜な箇所に形成された排気口１２とを有する。マスクの使用者は、口又は鼻から吐き出された気体が、排気口１２を介してマスクの外側に排出され、本体１０の前縁の適宜な箇所に少なくとも１つの結合部１３が設けられる。
【０００７】
ファン２０は、本体１０内に取り付けられる。フィルタ３０は、本体１０の開孔１１に覆設される。フィルタ３０の他方の端面には、フィルタコットン（図示せず）が設けられる。フィルタ３０に結合されたフィルタコットンは、人体に有害な空気中の浮遊粒子又はイエダニを濾過することができる。
【０００８】
外蓋４０は、本体１０の前端に配設される。外蓋４０内側の適宜な箇所には、少なくとも１つの結合部４１が設けられる。外蓋４０の結合部４１は、本体の結合部１３上に結合され、外蓋４０と本体１０とが結合されて一体成形され、外蓋４０の結合部及び本体１０の結合部１３は、磁石、係合部材又はヒンジでもよいが、本実施形態では磁石である。また、外蓋４０上には吸気口４２が設けられるが、本実施形態ではスリットであり、外部の空気が外蓋４０の吸気口４２を介し、フィルタ３０から本体１０内に案内され、使用者は吸い込むことができる。
【０００９】
導流板５０は、本体１０内に係合される。図３に示すように、導流板５０は、複数の第１の導流孔５１が上半部に設けられ、複数の第２の導流孔５２が下半部に設けられる。図４を併せて参照する。図４に示すように、複数の第１の導流孔５１の斜め上を向く傾斜面と、水平面とのなす夾角が形成される。外部の空気がファン２０により本体１０内に案内され、傾斜した第１の導流孔５１を介して空気が使用者の鼻及び口に案内され、使用者は吸い込むことができる。複数の第２の導流孔５２は、水平方向に延び、使用者の鼻及び口から吐き出された気体が、水平方向の第２の導流孔５２を通って本体１０の排気口１２に案内され、マスクの外部に排出されて分流される。
【００１０】
超音波振動装置６０は、霧化器であるが、霧化器のみに限定されず、導流板５０上の適宜な箇所に取り付けられる。超音波振動装置６０は、容器６１、回路基板６２及びノズル６３を含む。容器６１の内部には、酵素、精油又は酵素と精油とを混合した溶液が収容される。容器６１の上端の開口には、カバー６１１が設けられ、使用者はカバー６１１を開き、開口から酵素又は精油を注入することができる。回路基板６２は、一端がファン２０の回路に接続され、他端が充電プラグ６２１に接続され（図５を参照する）、商用電源を差し込んで電源供給が可能である。ノズル６３は、容器６１上に取り付けられるとともに、回路基板６２と電気的に接続される。ノズル６３は、容器６１内の酵素又は精油を霧化し、使用者の鼻及び口に向けてスプレーし、酵素の水素水効果を高め、酵素中の花青素の耐酸化性を高めることができる。
【００１１】
マスク体７０は、円環状を呈し、シリコーンゴムからなり、本体１０の後端に配設されているため、使用者がマスクを着用する際、マスク体７０を使用者の鼻に密着させることができる。
【００１２】
掛帯８０は、マスク体７０の穿孔に挿通され、本体１０上に取り付けられる。掛帯８０は、マスクを使用者の顔部に容易に装着し易いように両耳に掛けて使用する２つの耳ひも又は頭に掛けて使用するストラップでもよい。
【００１３】
上述したことから分かるように、本考案の空気清浄マスク構造は、ファンにより外部の空気が導流板を介して使用者の口及び鼻に案内され、使用者が吐き出した気体が本体の排気口から外部に排出されて分流され、制菌及び炎症防止を確実に行うことができる。
【符号の説明】
【００１４】
１０  本体
１１  開孔
１２  排気口
１３  結合部
２０  ファン
３０  フィルタ
４０  外蓋
４１  結合部
４２  吸気口
５０  導流板
５１  第１の導流孔
５２  第２の導流孔
６０  超音波振動装置
６１  容器
６２  回路基板
６３  ノズル
７０  マスク体
８０  ストラップ
６１１  カバー
６２１  充電プラグ
【図１】
0003233550.tif 000003
【図２】
0003233550.tif 000004
【図３】
0003233550.tif 000005
【図４】
0003233550.tif 000006
【図５】
0003233550.tif 000007
【図６】
0003233550.tif 000008